【事件の表示】
　平成　６年特許願第３１１６２３号「回転陽極Ｘ線管の電気接点装置」拒絶査定不服審判事件〔平成　８年　６月２５日出願公開、特開平　８−１６７３９５〕について、次のとおり審決する。
【結　論】
　本件審判の請求は、成り立たない。
【理　由】
１　手続の経緯 
　本願は、平成６年１２月１５日の出願であって、平成１７年９月２９日付けで拒絶査定がなされ、これに対して平成１７年１１月１日に拒絶査定不服審判の請求がなされるとともに、同日付けで手続補正がなされたものである。
　
２　平成１７年１１月１日付け手続補正についての補正却下の決定
[補正却下の決定の結論]
　平成１７年１１月１日付け手続補正を却下する。
[理由］独立特許要件違反
　平成１７年１１月１日付け手続補正（以下「本件補正」という。）により、平成１６年１１月９日付け手続補正により補正された
「【請求項１】　陰極に対向する回転陽極を有する回転子を、磁気軸受が発生する磁気力によって非接触支持し、上記回転子をステータが発生する回転磁界によって回転させる回転陽極Ｘ線管の電気接点装置において、
　上記回転子に固定された第１部分と、
　電源につながっている第２部分と、
　上記第１部分と上記第２部分とに接触しており、上記第１部分と第２部分とを電気的に導通させる金属流体とを備え、
　上記金属流体はガリウムまたはガリウム合金であって、
　上記第１部分と第２部分は、上記金属流体に対する耐腐食性および導電性を有する材料で作製されていると共に、上記第２部分は、上記金属流体を収容した器部を有し、上記第１部分は、上記器部に形成されている開口部に挿入されて上記器部内の上記金属流体に挿入された挿入部を有していることを特徴とする回転陽極Ｘ線管の電気接点装置。」が
「【請求項１】　陰極に対向する回転陽極を有する回転子を、磁気軸受が発生する磁気力によって非接触支持し、上記回転子をステータが発生する回転磁界によって回転させる回転陽極Ｘ線管の電気接点装置において、
　上記回転子に固定された第１部分と、
　電源につながっている第２部分と、
　上記第１部分と上記第２部分とに接触しており、上記第１部分と第２部分とを電気的に導通させる金属流体とを備え、
　上記金属流体はガリウムまたはガリウム合金であって、
　上記第１部分と第２部分は、上記金属流体に対する耐腐食性および導電性を有する材料で作製されていると共に、上記第２部分は、上記金属流体を収容した器部を有し、上記第１部分は、上記器部に形成されている開口部に挿入されて上記器部内の上記金属流体に挿入された挿入部を有し、
　上記器部は、上記開口部に連なると共に上記金属流体を溜める溜め部を含　み、
　上記開口部の内径が、上記溜め部の内径よりも小さくなっており、
　上記開口部の内周面またはその内周面に対向する上記挿入部の対向部もしくは上記内周面または上記対向部の近傍に、上記金属流体に対する濡れ防止剤が塗布され、
　上記濡れ防止剤は、ＴｉＯ２を主成分とするものであることを特徴とする回転陽極Ｘ線管の電気接点装置。」
と補正された。
　　
　そして、この補正は、以下の限定を付加するものである。
　補正前の器部について、「上記開口部に連なると共に上記金属流体を溜める溜め部を含み、上記開口部の内径が、上記溜め部の内径よりも小さくなっており、上記開口部の内周面またはその内周面に対向する上記挿入部の対向部もしくは上記内周面または上記対向部の近傍に、上記金属流体に対する濡れ防止剤が塗布され」との限定。
　
　したがって、この補正は特許請求の範囲の減縮を目的とするものに該当する。
　そこで、本件補正後の特許請求の範囲の請求項１に係る発明が特許出願の際独立して特許を受けることができるものであるか（特許法第１７条の２第５項において準用する特許法第１２６条第５項の規定に適合するか）について検討する。
　
（１）本件補正後の本願発明
　本願の請求項１に係る発明（以下「本願補正発明」という。）は、本件補正により補正された明細書及び図面からみて、請求項１に記載されたとおりのものと認める。
　
（２）引用刊行物に記載された発明
　本願の出願前に頒布され、原査定の拒絶の理由に引用された特開昭６２−６１２５１号公報（以下「引用刊行物１」という。）には、「回転陽極Ｘ線発生装置」の発明に関して、以下の事項が記載されている。
＜記載事項１＞
「〔産業上の利用分野〕
　本発明は回転陽極Ｘ線発生装置、特に回転陽極を装着した回転軸がガスベアリングで支持された装置において、回転陽極の接地手段に関する。」（第２ページ左上欄第１〜４行）
　
＜記載事項２＞
「〔従来の技術〕
　第７図は電子ビーム衝撃型Ｘ線転写装置の要部を示す側断面図である。
　第７図において、１は金属にてなる回転陽極、２は回転陽極１を左端に装着した金属製の回転軸、３は真空室、４は真空室３を一体に形成したハウジング、５は回転軸２に装着したロータ、６はハウジング４に装着しロータ５に対向するステータ、７は回転軸２の右端に装着した金属リング、８は圧縮コイルばね９を介し付勢されハウジング４に装着されたカーボンブラシ、１０は回転軸２の長さ方向の中間部に設けたフランジであり、回転軸２を回転自在に支持するハウジング４には、ガス軸受のガス（空気）注入口１１〜１３と排出口１４が設けてある。
　かかる装置において、真空室３を所定の真空度にし、回転軸２とハウジング４およびフランジ１０とハウジング４との嵌合間隙に加圧ガス１５を注入すると共に、ステータ６に通電すると、回転軸２は所定の速度で回転する。そこで、電子銃１６から電子ビーム１７を発射し回転陽極１の斜面に照射し発生したＸ線１８は、例えば厚さ数１０μｍのベリリュウムにてなるＸ線取り出し窓１９を透過し真空室３の下方に設けた試料室２０に出射され、回転軸２はカーボンブラシ８を介して電気的に接地されている。
　なお、ハウジング４は真空室３と排気口１４との間がクリアランスシール構造になっている。」（第２ページ右上欄第１行〜同左下欄第８行）
＜記載事項３＞
「〔発明が解決しようとする問題点〕
　上記従来装置において、回転陽極１の接地は回転する回転軸２の端部に金属リング７を装着し、その外周面にカーボンブラシ８を当接していた。
（略）そこで、かかる煩わしいブラシ交換および清掃作業の回数を減らすため接地手段の長寿命化が要望されると共に、摩耗粉の発生しないまたは少ない接地手段が要望されるようになった。」（第２ページ左下欄第９行〜同右下欄第２行）
＜記載事項４＞
「〔実施例〕
　以下に、第１図〜第６図を用いて本発明の実施例を説明する。なお、本発明の第１の実施例に係わる第１図、第２の実施例に係わる第２図、第３の実施例に係わる第４図、第４の実施例に係わる第５図において、Ｘ線１８を発生させる操作と仕組みは従来装置と同一であり、その説明は省略する。」（第３ページ右上欄第１〜７行）
＜記載事項５＞
「第４図は本発明の第３の実施例になる回転陽極Ｘ線発生装置の要部を示す側断面図である。
　第１図と共通部分に同一符号を使用した第４図において、回転陽極１と回転軸２は金属にてなり、回転軸２の右端面の中心部から突出する首部３６の先端に円板（突起）２７を設けてある。一方、ハウジング４には円板２７を収容する空洞２９を設け、空洞２９内に適量の液状導電体（例えば水銀）３１が入れてある。そして、導電体３１は第５図（イ）に示す如く、回転軸２の停止時には空洞２９の下部に溜る反面、回転軸２の回転時には第５図（ロ）に示す如く、円板２７が回転する遠心力で円板２７の半径方向に飛ばされ円板２７と空洞２９との隙間を埋めるようになる。従って、回転陽極１と金属にてなるハウジング４とは、回転軸２の停止および回転に係わらず、電気的に接続されるようになる。」（第３ページ左下欄第１６行〜同右下欄第１１行）
＜記載事項６＞
「なお、回転軸２の回転開始および停止に際し、首部３６と空洞２９の開口部との間隙から導電体３１が飛び出す恐れがある。そこで、首部３６と首部３６に対向する該開口部とには、第５図に示すラビリンス３７等で防止する手段が必要である。」（第３ページ右下欄第１２〜１６行）
　
　そして、第４図等において、回転陽極１は電子銃１６に対向していることは明らかである。
　
　第７図に示される従来例の説明個所である記載事項３に、「上記従来装置において、回転陽極１の接地は回転する回転軸２の端部に金属リング７を装着し、その外周面にカーボンブラシ８を当接していた。」と記載されていることから、従来例及び第４図に記載された実施例において、ハウジング４は接地されていることは明らかである。
　
　また、図４，５図の記載から、以下の点が読み取れる。
（１）回転陽極Ｘ線発生装置は、円板２７とハウジング４とに接触した水銀等の液状導電体３１を備えていること。
（２）首部３６は、ハウジング４の開口に挿入され、首部３６に設けられた円板２７は、ハウジング４の空洞２９内の液状導電体３１と接触していること。
（３）ハウジング４の空洞２９は、開口部に連なると共に液状導電体３１を溜めていること。
（４）首部３６に対向する開口部の内径が、液状導電体３１が入った空洞２９の内径より小さくなっていること。
　
　また、「回転陽極１と回転軸２は金属にてなり、回転軸２の右端面の中心部から突出する首部３６の先端に円板（突起）２７を設けてある。」及び「回転陽極１と金属にてなるハウジング４とは、回転軸２の停止および回転に係わらず、電気的に接続されるようになる。」（記載事項５）の記載から、回転軸２、首部３６、円板（突起）２７は、金属からなるものであることは自明である。
　
　したがって、上記記載事項１ないし６及び図面に基づけば、引用刊行物１には、
「電子銃１６に対向する回転陽極１を装着した回転軸２をガスベアリングで支持し、回転軸２をステータ６の通電により回転させる回転陽極Ｘ線発生装置の接地手段において、
回転軸２の右端面の中心部から突出する首部３６と、
首部３６に設けられた円板２７と、
接地されたハウジング４と、
上記円板２７と上記ハウジング４とに接触した液状導電体３１とを備え、
上記液状導電体３１は水銀等であって、
上記円板（突起）２７と上記ハウジング４は、金属からなるものであると共に、該ハウジング４は、液状導電体３１が入った空洞２９が設けられ、
ハウジング４の開口に挿入された首部３６、及び、ハウジング４の空洞２９内の液状導電体３１と接触している首部３６に設けられた円板２７を有し、
上記ハウジング４の空洞２９は、開口部に連なると共に液状導電体３１を溜め、
上記首部３６に対向する開口部を有し、
上記首部３６に対向する上記開口部の内径が、上記液状導電体３１が入った上記空洞２９の内径より小さくなっており、
上記首部３６と上記首部３６に対向する上記開口部とには、首部３６と開口部との間隙から上記液状導電体３１の飛び出しを防止するラビリンス３７が施された、回転陽極Ｘ線発生装置の接地手段。」の発明（以下「引用発明」という。）が記載されている。
　
　同じく、本願の出願前に頒布され、原査定の拒絶の理由に引用された特開昭５９−７３８３９号公報（以下「引用刊行物２」という。）には、「回転陽極Ｘ線管の陽極電流導入装置」の発明に関して、以下の事項が記載されている。
　
＜記載事項７＞
「〔発明の技術分野〕
　本発明は、回転陽極に固着された回転子を磁気力に依つて、完全非接触で支承することが可能な回転陽極Ｘ線管に関するものである。」（第１ページ左下欄下から２行〜同右下欄第３行）
＜記載事項８＞
「第２図は、陽極電流導入用装置の拡大図である。図中の符号は第１図と同様である。陽極電流導入装置（８）は、機械軸受（８ａ），（８ｂ）の内輪に接点ピン（９）を固着し、機械軸受（８ｂ）の外輪の軸方向にバネ（１０）を設置し、第１図に示す回転子（４）を軸方向に移動させることにより、支持棒（３ａ）を上記接点ピン（９）に接触させる。そしてこの支持棒（３ａ）と接点ピン（９）は、上記の軸方向に設置されたバネ（１０）の復元力によつて圧着される。この動作により、支持棒（３ａ）と接点ピン（９）はほぼ同一周速で回転することになり、陽極電流は、支持棒（３ａ）、接点ピン（９）、機械軸受（８ａ），（８ｂ）を介して、導電線（１１）により外部から回転陽極に導入される。この陽極電流の導入経路（１３）は、図中の矢印で示してある。」（第２ページ右上欄下から４行〜同左下欄第１１行）
　
　また、本願の出願前に頒布され、原査定の備考欄において引用された特開平４−１９６０３７号公報（以下「周知例１」という。）には、「回転体への給電機構」の発明に関して、以下の事項が記載されている。
　
＜記載事項９＞
「Ａ．産業上の利用分野
　この発明は、回転陰極Ｘ線管装置に備えられた回転陰極への給電などに利用される回転体への給電機構に関する。」（第１ページ左下欄第１２〜１５行）
＜記載事項１０＞
「Ｅ．作　用
　この発明によれば、給電対象である回転体と一体的に回転する回転電極の一部が、溶融金属に接触しているので、外部電源を前記溶融金属に電気的に接続することにより、溶融金属および回転電極を介して、回転体へ給電される。」（第２ページ左上欄第６〜１１行）
＜記載事項１１＞
「Ｆ．実施例
　以下、この発明の実施例を図面に基づいて説明する。
　第１図はこの発明の一実施例である回転陰極Ｘ線装置の概略構成を示した縦断面図、第２図は第１図のＡ−Ａ矢視断面図、第３図は要部の拡大断面図である。」（第２ページ左上欄第１２〜１８行）
＜記載事項１２＞
「この外囲器１内に、陰極フィラメント３を備えた環状の回転体４と、この回転体４に対向するように固定設置されたリング状の陽極５とが配備されている。」（第２ページ右上欄第１〜４行）
＜記載事項１３＞
「外囲器１の内部下方には、二つの室にそれぞれ溶融状態の低融点金属１３を収容した容器１４が設けられている。低融点金属１３としては、真空状態において気化しにくいガリウム（Ｇａ）、ガリウム・インジウム（ＧａＩｎ）やガリウム・インジウム・スズ（ＧａＩｎＳｎ）などのガリウム合金が望ましい。」（第２ページ左下欄第７〜１３行）
＜記載事項１４＞
「また、各室内の低融点金属１３は、容器の隔壁によって電気的に絶縁されており、前記回転電極１２ａ、１２ｂの一部は、各室内の低融点金属１３内にそれぞれ浸漬接触するようになっている。なお、低融点金属１３に接触する回転電極１２ａ，１２ｂの部分には、ガリウムと反応しにくいタングステン層や金層などを被着するのが好ましい。」（第２ページ左下欄第１４行〜同右下欄第１行）
＜記載事項１５＞
「また、第５図に示すように、容器１４の上方開口部に磁石２０を回転電極１２ａ、１２ｂに対して近接配置し、各回転電極１２ａ、１２ｂと磁石２０との間に、磁性流体２１を介在させることによっても、低融点金属１３が外囲器１内へ飛散するのを防止することができる。」（第３ページ左上欄下から３行〜同右上欄第３行）
　
　また、本願の出願前に頒布され、原査定の備考欄において引用された特開昭５５−１５１７５６号公報（以下「周知例２」という。）には、「Ｘ線管」の発明に関して、以下の事項が記載されている。
　
＜記載事項１６＞
「本発明は、電動機回転子によって軸の回りに回転可能な回転アノードを含む容器を具え、前記電動機固定子を前記容器の外部の電動機固定子によって駆動させ、さらに前記回転アノードを軸受装置によって軸方向および放射方向に支持しているＸ線管に関する。」（第２ページ右上欄第２〜７行）
＜記載事項１７＞
「本発明によれば、前記軸受装置は、軸方向磁気軸受とラジアル・スリーブ軸受とを具えており、作動時には該ラジアル・スリーブ軸受の相互に協働する金属支持面を、該ラジアル・スリーブ軸受をぬらしている液状層によって、分離されており、前記液状層は３００℃の温度で蒸気圧が１０−５Ｎ／ｍ２より低くかつ前記金属支持面を実質的に腐食しないある金属またはある金属合金から成っていることを特徴とする。」（第２ページ左下欄下から４行〜同右下欄第５行）
＜記載事項１８＞
「作動中に、管電流およびアノードに発生した熱を軸受を経て満足し得る状態で流すことが出来るが、それは金属の電気および熱伝導特性が比較的良いからである。」（第２ページ右下欄下から４行〜第３ページ左上欄第１行）
＜記載事項１９＞
「GaまたはGa合金から成るこの層はシヤフト２および軸受ブシユ６および１１をぬらしており」（第４ページ左上欄第１０〜１２行）
＜記載事項２０＞
「GaおよびGa合金の蒸気圧は300℃において10-5N／m2であるので、Ｘ線管内で予期しない気体放出は生じない。」（第４ページ左下欄第２〜４行）
　
　さらに、本願の出願前に頒布された特開昭６０−１１３８１７号公報（以下「周知例３」という。）には、「金属潤滑剤を使用した螺旋溝付き軸受」の発明に関して、以下の事項が記載されている。
　
＜記載事項２１＞
「本発明は液状の金属潤滑剤を使用した螺旋溝付き軸受に関するものである。
　このような軸受は米国特許第４２１０３７１号で既知であり、Ｘ線管の回転陽極の支承に使用されている。この既知の軸受では螺旋溝に使用されている潤滑剤はＧａまたはGa合金である。この種の軸受では、潤滑剤が螺旋溝のある表面に隣接する表面をも濡らすから、その潤滑作用を行なう限り、潤滑剤が流出してしまい、更に、Ｇａを含むような侵食性潤滑剤の場合にはその表面に腐食を生ずる。
　本発明の目的はこれ等従来技術の欠点を除去した、螺旋溝付き軸受を得るにある。」（第１ページ右下欄下から４行〜第２ページ左上欄第９行）
＜記載事項２２＞
「図面に示すＸ線源１は回転陽極２を具え、２個の軸受７，８によって真空密ハウジング６内に回転自在に軸５を支承し、ナット４によってこの回転陽極２を回転子３と共に軸５に取付ける。軸受７の球状部９を軸５に剛固に連結し、この球状部を球状凹所付き支持部材１０内に収容する。軸受間隙１１の両側にある球状部９および支持部材の表面によって軸受７の軸受面を形成する。軸受間隙１１に例えばＧａを含む金属潤滑材を満す。この潤滑剤はこの場合モリブデンまたはタングステンから成る軸受部９，１０の軸受面を分子の作用で濡らす。この濡れは非常に強いので、負荷状態でもこれ等軸受面は完全に分離する。」（第２ページ左下欄第１２行〜同右下欄第４行）
＜記載事項２３＞
「この電極管に電流を加えるためと、作動中、陽極に発生する熱の一部を消散させるための接点１７をこの構造部材１４によって担持する。」（第２ページ右下欄第１４〜１７行）
＜記載事項２４＞
「濡れ防止層４０，４１によって軸受の螺旋溝に隣接するすべての軸受表面が金属潤滑剤によって濡れるのを防止する。」（第３ページ左上欄下から５〜３行）
＜記載事項２５＞
「この濡れ防止層の主な成分は酸化チタンのままである。この軸受が金属潤滑剤によって濡れた時でも、この層はそれ程金属潤滑剤の侵食は受けず、金属潤滑剤で濡れることはない。また金属潤滑剤のクリープ（ｃｒｅｅｐａｇｅ）も生じない。即ち、被着した部片の表面と酸化チタン層即ち濡れ防止層との間から金属潤滑剤は漏出しない。従って潤滑剤による軸表面の正確に限定した局部的な濡れを達成することができる。」（第３ページ右上欄第９〜１７行）
＜記載事項２６＞
「このような軸受では、酸化チタン層は濡れ防止層として非常に有効である。」（第３ページ右下欄第２〜３行）
　
（３）対比
　本願補正発明と引用発明とを比較する。
ア　引用発明の「電子銃１６」、「回転陽極１を装着した回転軸２」は、本願補正発明の「陰極」、「回転陽極を有する回転子」に相当する。
　したがって、引用発明の「電子銃１６に対向する回転陽極１を装着した回転軸２をガスベアリングで支持し」と本願補正発明の「陰極に対向する回転陽極を有する回転子を、磁気軸受が発生する磁気力によって非接触支持し」とは、陰極に対向する回転陽極を有する回転子を、非接触支持しという点で一致する。
　
イ　引用発明の「回転軸２をステータ６の通電により回転させる」は、本願補正発明の「上記回転子をステータが発生する回転磁界によって回転させる」に相当する。
　
ウ　引用発明の対象である「回転陽極Ｘ線発生装置の接地手段」と本願補正発明の対象である「回転陽極Ｘ線管の電気接点装置」とは、回転陽極Ｘ線管の電気的接続装置の点で一致する。
　
エ　引用発明の「回転軸２の右端面の中心部から突出する首部３６」及び「首部３６に設けられた円板２７」とは、本願補正発明の「上記回転子に固定された第１部分」に相当する。
　
オ　引用発明の「接地されたハウジング４」と本願補正発明の「電源につながっている第２部分」とは、ある構成要素に電気的に接続された第２部分という点で一致する。
　
カ　引用発明の「上記円板２７と上記ハウジング４とに接触した液状導電体３１」は、本願補正発明の「上記第１部分と上記第２部分とに接触しており、上記第１部分と第２部分とを電気的に導通させる金属流体」に相当する。
　
キ　引用発明の「上記円板（突起）２７と上記ハウジング４は、金属からなるものである」と本願補正発明の「上記第１部分と第２部分は、上記金属流体に対する耐腐食性および導電性を有する材料で作製されている」とは、上記第１部分と第２部分は、導電性を有する材料で作製されている点で一致する。
　
ク　引用発明の「該ハウジング４は、液状導電体３１が入った空洞２９が設けられ」は、本願補正発明の「上記第２部分は、上記金属流体を収容した器部を有し」に相当する。
　
ケ　引用発明の「円板２７」及び「首部３６」は、本願補正発明の「上記第１部分」に相当し（上記「「エ」項参照）、また、引用発明の「ハウジング４の空洞２９内の液状導電体３１と接触している首部３６に設けられた円板２７」は、本願補正発明の「上記器部内の上記金属流体に挿入された挿入部」に相当する。
　したがって、引用発明の「ハウジング４の開口に挿入された首部３６、及び、ハウジング４の空洞２９内の液状導電体３１と接触している首部３６に設けられた円板２７を有し」は、本願補正発明の「上記第１部分は、上記器部に形成されている開口部に挿入されて上記器部内の上記金属流体に挿入された挿入部を有し」に相当する。
　
コ　引用発明の「上記ハウジング４の空洞２９は、ハウジング４の空洞２９は、開口部に連なると共に液状導電体３１を溜め」は、本願補正発明の「上記器部は、上記開口部に連なると共に上記金属流体を溜める溜め部を含み」に相当する。
　
サ　引用発明の「上記首部３６に対向する上記開口部の内径が、上記液状導電体３１が入った上記空洞２９の内径より小さくなっており」は、本願補正発明の「上記開口部の内径が、上記溜め部の内径よりも小さくなっており」に相当する。
　
シ　引用発明の「上記首部３６と上記首部３６に対向する上記開口部」は、本願補正発明の「上記開口部の内周面またはその内周面に対向する上記挿入部の対向部もしくは上記内周面または上記対向部の近傍に」に相当する。
　
ス　引用発明の「首部３６と開口部との間隙から上記液状導電体３１の飛び出しを防止するラビリンス３７が施された」と本願補正発明の「上記金属流体に対する濡れ防止剤が塗布され」とは、上記金属流体に対する対策が施された点で一致する。
　
　したがって、両者は、
「陰極に対向する回転陽極を有する回転子を、非接触支持し、上記回転子をステータが発生する回転磁界によって回転させる回転陽極Ｘ線管の電気的接続装置において、
　上記回転子に固定された第１部分と、
　ある構成要素に電気的に接続された第２部分と、
　上記第１部分と上記第２部分とに接触しており、上記第１部分と第２部分とを電気的に導通させる金属流体とを備え、
　上記第１部分と第２部分は、導電性を有する材料で作製されていると共に、上記第２部分は、上記金属流体を収容した器部を有し、上記第１部分は、上記器部に形成されている開口部に挿入されて上記器部内の上記金属流体に挿入された挿入部を有し、
　上記器部は、
　上記開口部に連なると共に上記金属流体を溜める溜め部を含み、
　上記開口部の内径が、上記溜め部の内径よりも小さくなっており、
　上記開口部の内周面またはその内周面に対向する上記挿入部の対向部もしくは上記内周面または上記対向部の近傍に、上記金属流体に対する対策が施されたことを特徴とする回転陽極Ｘ線管の電気的接続装置。」の点で一致し、以下の点で相違する。
　
[相違点１]
　陰極に対向する回転陽極を有する回転子を、非接触支持する手段が、本願補正発明は、磁気軸受が発生する磁気力によるものであるのに対して、引用発明は、ガスベアリングである点。
[相違点２]
　回転陽極Ｘ線管の電気的接続装置が、本願補正発明は、電気接点装置であるのに対して、引用発明は、接地手段である点。
[相違点３]
　第２部分が、本願補正発明は、電源につながっているのに対して、引用発明は、接地されている点。
[相違点４]　
　第１部分と第２部分とを電気的に導通させる金属流体が、本願補正発明は、ガリウムまたはガリウム合金であるのに対して、引用発明は、水銀等である点。
[相違点５]　
　第１部分と第２部分が、本願補正発明は、金属流体に対する耐腐食性および導電性を有する材料で作製されているのに対して、引用発明は、導電性を有する材料で作製されているに留まる点。
[相違点６]　
　開口部の内周面またはその内周面に対向する挿入部の対向部もしくは内周面または対向部の近傍に施された、金属流体に対する対策として、本願補正発明は、金属流体に対する濡れ防止剤が塗布され、上記濡れ防止剤は、ＴｉＯ２を主成分とするものであるのに対して、引用発明は、ラビリンス３７を施す点。
　
（４）当審の判断
ア　相違点１について
　陰極に対向する回転陽極を有する回転子を非接触支持する手段として、磁気力によるものが引用刊行物２に記載されているので（記載事項７）、相違点１に係る本願補正発明のように、陰極に対向する回転陽極を有する回転子を、磁気軸受が発生する磁気力によって非接触支持することは、引用刊行物２の記載に基づいて当業者が容易に想到し得ることである。
　
イ　相違点２、３について
　
　相違点２及び３を併せて検討する。
　引用刊行物２には、「陽極電流は、支持棒（３ａ）、接点ピン（９）、機械軸受（８ａ），（８ｂ）を介して、導電線（１１）により外部から回転陽極に導入される。」（記載事項８）と記載されている。
　この記載によれば、回転陽極に回転陽極Ｘ線管の外部電源から電流を供給することは明らかであり、相違点３に係る本願補正発明のように、第２部分を、電源につなげることは当然の構成に過ぎない。
　そして、引用発明は、回転陽極を接地するために、回転陽極と電気的に接続された第２の部分（ハウジング４）を接地しているが、回転陽極を電源に接続する場合には、引用発明でいう「接地手段」が「電気接点装置」とも呼称できるに過ぎないので、相違点２に係る本願補正発明の構成要件は、格別なものではない。
　
ウ　相違点４について　
　周知例１に示されるように、回転陰極Ｘ線管装置に備えられた回転陰極への給電などに利用される回転体への給電機構において、回転体へ給電するために用いられる溶融状態の金属として、ガリウムまたはガリウム合金は周知である（記載事項９，１３）。
　また、周知例２に示されるように、ガリウムまたはガリウム合金は蒸発しにくい液体金属であり、回転陰極Ｘ線管の内部において気体の放出が生じないことは周知である（記載事項２０）。
　したがって、第１部分と第２部分とを電気的に導通させる金属流体を引用発明の「水銀」から、ガリウムまたはガリウム合金に代えることは周知技術に基づけば容易である。
　よって、相違点４に係る本願補正発明の発明特定事項は、周知技術に基づいて当業者が容易に想到し得ることである。
　
エ　相違点５について　
　周知例１に示されるように、回転陰極Ｘ線管装置において、低融点金属に接触する回転電極の部分には、ガリウムと反応しにくいタングステン層や金層などを被着するのが好ましいことは周知である（記載事項１４）。
　そして、上記「ガリウムと反応しにくい」とは、本願補正発明の「金属流体に対する耐腐食性」を有することに相当することは明らかである。
　してみると、相違点５に係る本願補正発明の発明特定事項は、周知技術を踏まえると当業者が当然考慮すべき事項であり、格別なことではない。
　
オ　相違点６について　
　「相違点４について」で述べたように、第１部分と第２部分とを電気的に導通させる金属流体を引用発明の「水銀」からガリウムまたはガリウム合金に代えることは容易である。
　そして、周知例３に示されるように、Ｘ線管の回転陽極の軸受け部において、軸受間隙に濡れ性の強いＧａを含む金属潤滑材を満たし、かつ、該Ｇａを含む金属潤滑材が漏出するのを防止するために、酸化チタン層を上記軸受け部に施すことは周知である（記載事項２１〜２６）。
　してみると、引用発明において、上記金属流体として引用発明の濡れ性の弱い水銀から、濡れ性の強いＧａに代えた場合、引用発明の「首部３６と首部３６に対向する上記口部」、すなわち、本願補正発明の「上記開口部の内周面またはその内周面に対向する上記挿入部の対向部もしくは上記内周面または上記対向部の近傍に」ＴｉＯ２を主成分とする濡れ防止剤を塗布することは、周知技術に基づいて当業者が容易に想到し得ることである。
　
　そして、本願補正発明の効果は、引用刊行物１ないし２の記載及び周知技術から当業者が予測し得る範囲内のものである。
　したがって、本願補正発明は、引用刊行物１ないし２に記載された発明及び周知技術に基づいて当業者が容易に発明することができたものである。
　　
　よって、本願補正発明は、特許法第２９条第２項の規定により、特許出願の際独立して特許を受けることができない。
　　　
（５）まとめ
　以上のとおり、本件補正は、特許法第１７条の２第５項において準用する特許法第１２６条第５項の規定に違反するので、特許法第１５９条第１項で読み替えて準用する特許法第５３条第１項の規定により却下されるべきものである。
　
３　本願発明について
　平成１７年１１月１日付け手続補正は上記のとおり却下されたので、本願の請求項１に係る発明は、平成１６年１１月９日付けの手続補正により補正された明細書及び図面の記載からみて、請求項１に記載されたとおりのものと認める。（前記「２」項参照。）
　
４　引用刊行物
　引用刊行物１ないし２及び周知例１ないし２に記載された事項は、前記「２（２）」に記載されたとおりである。
　
５　対比・判断
　本願発明は、前記「２（１）」で認定した本願補正発明から、「上記開口部に連なると共に上記金属流体を溜める溜め部を含み、上記開口部の内径が、上記溜め部の内径よりも小さくなっており、上記開口部の内周面またはその内周面に対向する上記挿入部の対向部もしくは上記内周面または上記対向部の近傍に、上記金属流体に対する濡れ防止剤が塗布され」との限定を省いたものである。そして、この限定された事項は、本願補正発明と引用発明との相違点６に係る本願補正発明の構成要件である。
　　
　そうすると、本願発明と引用発明との一致点は、本願補正発明と引用発明との一致点と同じであり、また、本願発明と引用発明との相違点は、本願補正発明と引用発明との相違点である、相違点１ないし５となる。
　
　したがって、本願発明と引用発明との相違点に係る本願発明の構成要件は、前記「２（４）」の「ア　相違点１について」ないし「エ　相違点５について」に記載した理由と同様の理由により、引用刊行物１ないし２に記載された発明及び周知技術に基づいて当業者が容易に発明することができたものである。
　　また、本願発明の効果は、引用刊行物１ないし２の記載及び周知技術から当業者が予測し得る範囲内のものである。
　
６　むすび
　以上のとおり、本願発明は、引用刊行物１ないし２に記載された発明及び周知技術に基づいて当業者が容易に発明することができたものであるから、特許法第２９条第２項の規定により特許を受けることができない。
　
　よって、結論のとおり審決する。